(57)【特許請求の範囲】
【請求項１】
天井面に埋め込まれた本体ケーシングの下面中央に吸込口を設け、下面周辺に吹出口を設け、前記本体ケーシング内に形成された前記吸込口と前記吹出口とを結ぶ空気通路に、前記吸込口に対向して上下方向の駆動軸を有した送風ファンからなる送風機と熱交換器とを設け、同熱交換器の下部に露受皿を設けるとともに、前記熱交換器の下部と前記送風機との間に、上面が流線形に形成されて、前記吸込口からの吸込空気流を前記熱交換器に向けてほぼ均一に導くガイド部材を設け、前記送風ファンと前記吸込口との間にベルマウスを設けてなる天井埋込型空気調和機において、
前記露受皿が、相対向する接合部を備えて上下に分割され、空隙部を形成して重設された上部露受皿と下部露受皿とで構成されるとともに、該下部露受皿と前記ガイド部材と前記ベルマウスとが一体的に形成されてなることを特徴とする天井埋込型空気調和機。
【請求項２】
前記接合部が、上部を拡開した前記上部露受皿および前記下部露受皿の両側面からなり、これら上下の両側面を密接して前記空隙部を形成するようにしたことを特徴とする請求項１に記載の天井埋込型空気調和機。
【請求項３】
前記接合部を構成する上下の両側面を、ほぼ平行に形成したことを特徴とする請求項２に記載の天井埋込型空気調和機。
【請求項４】
前記上部露受皿および前記下部露受皿を、ヒンジ部を介して回動可能に連結し、同ヒンジ部を中心に回動して前記上下の両側面を密接するようにしたことを特徴とする請求項２または請求項３に記載の天井埋込型空気調和機。
【請求項５】
前記上部露受皿と前記下部露受皿と前記ヒンジ部とを、合成樹脂により薄肉状に一体成形したことを特徴とする請求項４に記載の天井埋込型空気調和機。
【請求項６】
前記上部露受皿および前記下部露受皿に、前記上下の両側面を密接させた状態で保持する保持手段を設けたことを特徴とする請求項２乃至請求項４に記載の天井埋込型空気調和機。
【請求項７】
前記保持手段が、前記下部露受皿の上縁部に対応して、前記上部露受皿の少なくとも一側面上部に突設された第一係止爪からなることを特徴とする請求項６に記載の天井埋込型空気調和機。
【請求項８】
前記保持手段が、前記下部露受皿の少なくとも一側面に設けられた係止孔と、同係止孔に対応して前記上部露受皿に突設された第二係止爪からなることを特徴とする請求項６に記載の天井埋込型空気調和機。
【請求項９】
前記上部露受皿および前記下部露受皿に、前記空隙部の高さ寸法が不均一にならないように位置決めするための位置決め手段を設けたことを特徴とする請求項２乃至請求項４または請求項６に記載の天井埋込型空気調和機。
【請求項１０】
前記位置決め手段が、前記上部露受皿の両側底部に対応して、前記下部露受皿に設けられた水平面状の受け部からなることを特徴とする請求項９に記載の天井埋込型空気調和機。
【請求項１１】
前記位置決め手段が、前記上部露受皿の底面に対向して、前記下部露受皿の底面上に立設したリブからなることを特徴とする請求項９に記載の天井埋込型空気調和機。
【請求項１２】
前記上部露受皿の底面に筒状の排水部を垂下する一方、前記下部露受皿に、前記排水部の外形に嵌合する筒状の嵌合部を立設したことを特徴とする請求項２に記載の天井埋込型空気調和機。
【請求項１３】
前記排水部の外形部を先細状に形成する一方、これに対応する前記嵌合部の内径部を、前記排水部の外形とほぼ平行な形状に形成したことを特徴とする請求項１２に記載の天井埋込型空気調和機。
【請求項１４】
前記排水部の排水孔を、先端部を拡開したテーパ状に形成する一方、該排水孔に嵌合する嵌合体と、同嵌合体の基端部に連続形成したフランジとからなる止水栓を設け、前記嵌合体を前記排水孔に嵌合するとともに、前記フランジを前記排水孔の周縁部に近接または当接するようにしたことを特徴とする請求項１３に記載の天井埋込型空気調和機。
【請求項１５】
前記止水栓が、弾性を有する部材からなることを特徴とする請求項１４に記載の天井埋込型空気調和機。
【請求項１６】
前記止水栓の頭部近傍に、該箇所に弾性をもたせる切欠部を設けたことを特徴とする請求項１４に記載の天井埋込型空気調和機。
【発明の詳細な説明】
【０００１】
【発明の属する技術分野】
本発明は、天井埋込型空気調和機に係わり、より詳細には、露受皿を中空状に形成して断熱性をもたせるとともに、該露受皿とガイド部材とベルマウスとを一体的に形成した構造に関する。
【０００２】
【従来の技術】
従来の天井埋込型空気調和機は、例えば図１２で示すように、天井面に埋め込まれた本体ケーシング１の下面1a中央に吸込口２を設け、下面1a周辺に吹出口３を設け、前記本体ケーシング１内に形成された前記吸込口２と前記吹出口３とを結ぶ空気通路５に、前記吸込口２に対向して上下方向の駆動軸を有した送風ファン４からなる送風機Ｍと熱交換器６とを設け、同熱交換器６の下部に露受皿７を設けるとともに、前記熱交換器６の下部と前記送風機Ｍとの間に、上面が流線形に形成されて、前記吸込口２からの吸込空気流を前記熱交換器６に向けてほぼ均一に導くガイド部材2bを設け、前記送風ファン４と前記吸込口２との間にベルマウス2aを設けてなる構成であった。
【０００３】
前記露受皿７は、例えば実開平ー６７３６１６号公報で開示されているように、中空成形をすることによって断熱性能を高めて露付を防止するようにした技術が知られているが、この場合、天井埋込型空気調和機用として好適な前記露受皿７の形状や成形条件などにより、前記中空成形部の高さ寸法が不均一になりやすく、このため、断熱性能が安定しにくいという問題を有していた。
また、前記露受皿７は、複数の部品を接着することによって前記中空成形部を形成するような場合、該接着のための後加工が必要となって生産性が悪くなったり、前記中空成形部の機密性が不安定になるのに伴って断熱性能が安定しにくいという問題を有していた。
【０００４】
更に、前記ガイド部材2bは、特開平２ー１７１５２０号公報で開示されているように、その上面の内周部が前記送風ファン４のシュラウド4aの下面の外周部とオーバーラップするように近接して配置されており、これによって、前記送風ファン４のシュラウド4a側の流れが前記ガイド部材2bの上面に付着するコアンダ効果が生じて風の流れが下方に引き付けられ、風の流れのシュラウド4aからの剥離域が有効に低減される効果を奏していたが、前記ガイド部材2bが別部材として設けられた構成であるため、そのための作業性が悪くなりコスト的にも不利となっていた。
【０００５】
【発明が解決しようとする課題】
本発明においては、上記の問題点に鑑み、露受皿を中空状に形成して断熱性をもたせるとともに、該露受皿とガイド部材とベルマウスとを一体的に形成した天井埋込型空気調和機を提供することを目的とする。
【０００６】
【課題を解決するための手段】
本発明は、上記課題を解決するため、天井面に埋め込まれた本体ケーシングの下面中央に吸込口を設け、下面周辺に吹出口を設け、前記本体ケーシング内に形成された前記吸込口と前記吹出口とを結ぶ空気通路に、前記吸込口に対向して上下方向の駆動軸を有した送風ファンからなる送風機と熱交換器とを設け、同熱交換器の下部に露受皿を設けるとともに、前記熱交換器の下部と前記送風機との間に、上面が流線形に形成されて、前記吸込口からの吸込空気流を前記熱交換器に向けてほぼ均一に導くガイド部材を設け、前記送風ファンと前記吸込口との間にベルマウスを設けてなる天井埋込型空気調和機において、
前記露受皿が、相対向する接合部を備えて上下に分割され、空隙部を形成して重設された上部露受皿と下部露受皿とで構成されるとともに、該下部露受皿と前記ガイド部材と前記ベルマウスとが一体的に形成された構成となっている。
【０００７】
また、前記接合部が、上部を拡開した前記上部露受皿および前記下部露受皿の両側面からなり、これら上下の両側面を密接して前記空隙部を形成するようにした構成となっている。
【０００８】
また、前記接合部を構成する上下の両側面を、ほぼ平行に形成した構成となっている。
【０００９】
また、前記上部露受皿および前記下部露受皿を、ヒンジ部を介して回動可能に連結し、同ヒンジ部を中心に回動して前記上下の両側面を密接するようにした構成となっている。
【００１０】
また、前記上部露受皿と前記下部露受皿と前記ヒンジ部とを、合成樹脂により薄肉状に一体成形した構成となっている。
【００１１】
また、前記上部露受皿および前記下部露受皿に、前記上下の両側面を密接させた状態で保持する保持手段を設けた構成となっている。
【００１２】
また、前記保持手段が、前記下部露受皿の上縁部に対応して、前記上部露受皿の少なくとも一側面上部に突設された第一係止爪からなる構成となっている。
【００１３】
また、前記保持手段が、前記下部露受皿の少なくとも一側面に設けられた係止孔と、同係止孔に対応して前記上部露受皿に突設された第二係止爪からなる構成となっている。
【００１４】
また、前記上部露受皿および前記下部露受皿に、前記空隙部の高さ寸法が不均一にならないように位置決めするための位置決め手段を設けた構成となっている。
【００１５】
また、前記位置決め手段が、前記上部露受皿の両側底部に対応して、前記下部露受皿に設けられた水平面状の受け部からなる構成となっている。
【００１６】
また、前記位置決め手段が、前記上部露受皿の底面に対向して、前記下部露受皿の底面上に立設したリブからなる構成となっている。
【００１７】
また、前記上部露受皿の底面に筒状の排水部を垂下する一方、前記下部露受皿に、前記排水部の外形に嵌合する筒状の嵌合部を立設した構成となっている。
【００１８】
また、前記排水部の外形部を先細状に形成する一方、これに対応する前記嵌合部の内径部を、前記排水部の外形とほぼ平行な形状に形成した構成となっている。
【００１９】
また、前記排水部の排水孔を、先端部を拡開したテーパ状に形成する一方、該排水孔に嵌合する嵌合体と、同嵌合体の基端部に連続形成したフランジとからなる止水栓を設け、前記嵌合体を前記排水孔に嵌合するとともに、前記フランジを前記排水孔の周縁部に近接または当接するようにした構成となっている。
【００２０】
また、前記止水栓が、弾性を有する部材からなる構成となっている。
【００２１】
更に、前記止水栓の頭部近傍に、該箇所に弾性をもたせる切欠部を設けた構成となっている。
【００２２】
【発明の実施の形態】
以下、本発明の実施の形態を、添付図面に基づいた実施例として説明する。
図１と、図２と、図３（Ａ）および図３（Ｂ）と、図４（Ａ）および図４（Ｂ）と、図５（Ａ）および図５（Ｂ）と、図６（Ａ）および図６（Ｂ）と、図７（Ａ）および図７（Ｂ）と、図８（Ａ）および図８（Ｂ）と、図９（Ａ）および図９（Ｂ）と、図１０（Ａ）および図１０（Ｂ）と、図１１（Ａ）および図１１（Ｂ）とにおいて、１は天井埋込型空気調和機を構成して天井面に埋め込まれた本体ケーシング、２は同本体ケーシング１の下面1a中央に設けられた吸込口、３は下面1a周辺に設けられた吹出口、５は前記本体ケーシング１内で前記吸込口２と前記吹出口３とを通過するように形成された空気通路で、該空気通路５には、前記吸込口２に対向して上下方向の駆動軸を有したファンモータＭおよび下部にシュラウド4aを備えた送風ファン４からなる送風機と、下部に後述する露受皿を備えた熱交換器６とが設けられ、前記送風ファン４と前記吸込口２との間にはベルマウス2aが設けられ、前記熱交換器６の下部と前記送風機との間に、上面が流線形に形成されて、前記吸込口２からの吸込空気流を前記熱交換器６に向けてほぼ均一に導くためのガイド部材2bが設けられた構成となっている。
【００２３】
前記熱交換器６の下部に設けられた露受皿は、相対向する接合部を備えて上下に分割され、空隙部ａを形成して重設された上部露受皿7'と下部露受皿７とで構成されるとともに、該下部露受皿７と前記ガイド部材2bと前記ベルマウス2aとが一体的に形成された構成となっており、
これによって、前記上部露受皿7'と前記下部露受皿７とで構成される露受皿は、機密性のよい前記空隙部ａを形成できて断熱性能が安定し、露付を効果的に防止できるようになるとともに、上記に説明した従来技術のような接着のための後加工が不必要となり、作業性を向上できるとともにコスト的に有利な構造となる。
【００２４】
また、前記上部露受皿7'と下部露受皿７とを接合するための接合部が、図３（Ａ）および図３（Ｂ）で示すように、上部を拡開した前記上部露受皿7'および前記下部露受皿７の両側面7'b および7bからなり、これら上下の両側面7'b および7bを密接して前記空隙部ａを形成するようにした構成となっており、
これによって、前記上部露受皿7'を前記下部露受皿７に上方から容易に、且つ正確に接合できるようになるとともに、上部を拡開した前記両側面7'b および7bを相互に密接することによって、機密性のよい前記空隙部ａを正確に形成できるようにした構造となる。
【００２５】
また、前記接合部を構成する上下の前記両側面7'b および7bをほぼ平行に形成したことにより、該両側面7'b および7bを正確に密接できて、より機密性のよい前記空隙部ａを正確に形成できるようにした構成となっている。
【００２６】
また、前記上部露受皿7'および前記下部露受皿７を、図４（Ａ）および図４（Ｂ）で示すように、ヒンジ部８を介して回動可能に連結し、同ヒンジ部８を中心に回動して前記上下の両側面7'b および7bを密接するようにしたことにより、該両側面7'b および7bを更に容易に接合できるようにした構成となっている。
【００２７】
また、前記上部露受皿7'と前記下部露受皿７と前記ヒンジ部８とを、合成樹脂により一体的に形成したことにより、寸法形状を正確に仕上げることができるとともに、コスト的に有利な構成となっている。
【００２８】
また、前記ヒンジ部８を一体成形によって薄肉状に形成したことにより、該ヒンジ部８を中心に前記上部露受皿7'をより容易に回動して前記下部露受皿７に接合できるようにした構成となっている。
なお、前記下部露受皿７は、図５（Ａ）および図５（Ｂ）で示すように、同下部露受皿７に設けられた取付用の挿通孔7cを挿通したねじを、前記本体ケーシング１に設けられたねじ孔（図示せず）に螺着して固定されるようにした構成となっている。
【００２９】
また、前記上部露受皿7'および前記下部露受皿７に、前記上下の両側面7'b および7bを密接させた状態で保持するための後述する保持手段を設けたことにより、密接させた該上下の両側面7'b および7bが離脱してしまわないように、正確に保持できるようにした構成となっている。
【００３０】
また、前記上下の両側面7'b および7bを保持するための保持手段が、第一の例として図６（Ａ）および図６（Ｂ）で示すように、前記下部露受皿７の上縁部に対応して、前記上部露受皿7'の少なくとも一側面7b上部に突設された第一係止爪7dらなる構成となっており、
これによって、前記上部露受皿7'が前記下部露受皿７から擦れたり、または離脱したりしないように正確に保持できるようになって、前記空隙部ａの高さ寸法を狂わせることがないようにした構造となる。
【００３１】
また、前記上下の両側面7'b および7bを保持するための保持手段が、第二の例として図９（Ａ）および図９（Ｂ）で示すように、前記下部露受皿７の少なくとも一側面7bに設けられた係止孔7gと、同係止孔7gに対応して前記上部露受皿7'に突設された第二係止爪7d' からなる構成となっており、
これによって、前記第一の例の場合と同様に、前記上部露受皿7'が前記下部露受皿７から擦れたり、または離脱したりしないように正確に保持できるようになって、前記空隙部ａの高さ寸法を狂わせることがないようにした構造となる。
【００３２】
また、前記上部露受皿7'および前記下部露受皿７に、前記空隙部ａの高さ寸法が不均一にならないように位置決めするための後述する位置決め手段を設けたことにより、前記空隙部ａの高さ寸法が不均一にならないように位置決めできるので、断熱性能を向上させて、前記上部露受皿7'および前記下部露受皿７からなる露受皿への露付を効果的に防止できるようにした構成となっている。
【００３３】
また、前記空隙部ａの高さ寸法が不均一にならないように位置決めする位置決め手段が、第一の例として図７（Ａ）および図７（Ｂ）で示すように、前記上部露受皿7'の両側7'b 底部に対応して、前記下部露受皿７に設けられた水平面状の受け部7eからなる構成となっており、
これによって、前記上部露受皿7'の底部を前記受け部7eに当接させることにより、前記空隙部ａの高さ寸法が不均一にならないように正確に位置決めできるようにした構造となる。
【００３４】
また、前記空隙部ａの高さ寸法が不均一にならないように位置決めする位置決め手段が、第二の例として図８（Ａ）および図８（Ｂ）で示すように、前記上部露受皿7'の底面7'a に対向して、前記下部露受皿７の底面7a上に立設したリブ7fからなる構成となっており、
これによって、前記上部露受皿7'の底面7'a を前記リブ7fの上端の長手方向のわたって当接させることにより、前記空隙部ａの高さ寸法が不均一にならないように、更に正確に位置決めできるようにした構造となる。
【００３５】
また、図１０（Ａ）および図１０（Ｂ）で示すように、前記上部露受皿7'の底面7'a に筒状の排水部９を垂下する一方、前記下部露受皿７に、前記排水部９の外形に嵌合する筒状の嵌合部10を立設した構成となっており、
これによって、前記上部露受皿7'および前記下部露受皿７からなる露受皿に排水路を形成できて、図示はしないが、該排水路にドレンホースを接続して前記熱交換器６から滴下した凝縮水を外部に排出できるようになる。
【００３６】
また、前記排水部９の外形部を先細状に形成する一方、これに対応する前記嵌合部10の内径部を、前記排水部９の外形とほぼ平行な形状に形成したことにより、前記排水部９を前記嵌合部10に容易に、且つ正確に嵌合できるようにした構成となっている。
【００３７】
また、図１１（Ａ）で示すように、前記排水部９の排水孔を、先端部を拡開したテーパ状に形成する一方、該排水孔に嵌合する嵌合体11a と、同嵌合体11a の基端部に連続形成したフランジ11b とからなる止水栓11を設け、前記嵌合体11a を前記排水孔に嵌合するとともに、前記フランジ11b を前記排水孔の周縁部に近接または当接するようにした構成となっており、
これによって、前記排水部９の排水孔に栓をしておきたい場合には、前記止水栓11により前記排水孔に正確に栓をすることができるとともに、該箇所の周縁を前記フランジ11b で覆って外観性を損ねないようにした構造となる。
【００３８】
また、前記止水栓11が、弾性を有するゴムまたは合成樹脂などの部材からなる構成としたことにより、前記排水部９の排水孔に、より正確に栓をすることができるようになる。
【００３９】
更に、図１１（Ｂ）で示すように、前記止水栓11の頭部近傍に、該箇所に弾性をもたせる切欠部11c および11d を設けたことにより、前記止水栓11により効果的な弾性をもたせることができるようにした構成となっている。
なお、前記フランジ11b に延出片11e を連続形成することによって、前記止水栓11に更に効果的な弾性をもたせることができる。
【００４０】
以上の構成により、図１と、図２と、図３（Ａ）および図３（Ｂ）と、図４（Ａ）および図４（Ｂ）と、図５（Ａ）および図５（Ｂ）と、図６（Ａ）および図６（Ｂ）と、図７（Ａ）および図７（Ｂ）と、図８（Ａ）および図８（Ｂ）と、図９（Ａ）および図９（Ｂ）と、図１０（Ａ）および図１０（Ｂ）と、図１１（Ａ）および図１１（Ｂ）とで示すように、前記熱交換器６の下部に設けられた露受皿は、相対向する接合部を備えて上下に分割され、前記空隙部ａを形成して重設された上部露受皿7'と下部露受皿７とで構成されるとともに、該下部露受皿７と前記ガイド部材2bと前記ベルマウス2aとが一体的に形成された構成となっているので、
前記上部露受皿7'と前記下部露受皿７とで構成される露受皿は、機密性のよい前記空隙部ａを形成できて断熱性能が安定し、露付を効果的に防止できるようになるとともに、上記に説明した従来技術のような接着のための後加工が不必要となり、作業性を向上できるとともにコスト的に有利な構成でなる天井埋込型空気調和機となる。
【００４１】
【発明の効果】
以上のように本発明によると、露受皿を中空状に形成して断熱性をもたせるとともに、該露受皿とガイド部材とベルマウスとを一体的に形成した天井埋込型空気調和機となる。
【図面の簡単な説明】
【図１】本発明による天井埋込型空気調和機の断面図である。
【図２】本発明による天井埋込型空気調和機の底面図である。
【図３】本発明による天井埋込型空気調和機の要部説明図で、（Ａ）は露受皿の分解斜視図であり、（Ｂ）は断面図である。
【図４】本発明による天井埋込型空気調和機の要部説明図で、（Ａ）は露受皿の斜視図であり、（Ｂ）は断面図である。
【図５】本発明による天井埋込型空気調和機の要部説明図で、（Ａ）は露受皿と本体ケーシングの斜視図であり、（Ｂ）は要部斜視図である。
【図６】本発明による天井埋込型空気調和機の保持手段の第一の例を示す断面図で、（Ａ）は分解図であり、（Ｂ）は組立図である。
【図７】本発明による天井埋込型空気調和機の位置決め手段の第一の例を示す断面図で、（Ａ）は分解図であり、（Ｂ）は組立図である。
【図８】本発明による天井埋込型空気調和機の位置決め手段の第二の例を示す断面図で、（Ａ）は分解図であり、（Ｂ）は組立図である。
【図９】本発明による天井埋込型空気調和機の保持手段の第二の例を示す断面図で、（Ａ）は分解図であり、（Ｂ）は組立図である。
【図１０】本発明による天井埋込型空気調和機の要部説明図で、（Ａ）は排水路の分解図であり、（Ｂ）は組立図である。
【図１１】本発明による天井埋込型空気調和機の要部説明図で、（Ａ）は排水路に栓をする分解図であり、（Ｂ）は組立図である。
【図１２】従来例による天井埋込型空気調和機の断面図である。
【符号の説明】
１  本体ケーシング
1a  下面
２  吸込口
2a  ベルマウス
2b  ガイド部材
３  吹出口
４  送風ファン
4a  シュラウド
５  空気通路
６  熱交換器
7'  上部露受皿
7'a   上部露受皿の底面
7'b   上部露受皿の側面
７  下部露受皿
7a  下部露受皿の底面
7b  下部露受皿の側面
7c  挿通孔
7d  第一係止爪
7d'   第二係止爪
7e  受け部
7f  リブ
7g  係止孔
８  ヒンジ部
９  排水部
10  嵌合部
11  止水栓
11a   嵌合体
11b   フランジ
11c ，11d   切欠部
11e   延出片
ａ  空隙部
【図１】
0003807088.tif 000002
【図２】
0003807088.tif 000003
【図３】
0003807088.tif 000004
【図４】
0003807088.tif 000005
【図５】
0003807088.tif 000006
【図６】
0003807088.tif 000007
【図７】
0003807088.tif 000008
【図８】
0003807088.tif 000009
【図９】
0003807088.tif 000010
【図１０】
0003807088.tif 000011
【図１１】
0003807088.tif 000012
【図１２】
0003807088.tif 000013